(57)【要約】【課題】本発明は、ラジオ放送を用いて緊急放送を確実に伝達することができるとともに誤作動のない信頼性の高い緊急放送用ラジオ受信機を提供することを目的とするものである。【解決手段】緊急放送用ラジオ受信機は、受信部１３に受信されたラジオ放送信号に含まれるＤＴＭＦ信号を検出した後次のＤＴＭＦ信号が所定の時間内に検出された場合に検出されたＤＴＭＦ信号を保存する信号処理部１２、複数のＤＴＭＦ信号の所定の組み合せに対応して表示する災害情報を記憶する記憶部１１、検出された複数のＤＴＭＦ信号が所定の組み合せであるか否か判定する判定部１０１、ＤＴＭＦ信号が所定の組み合せである場合に対応する災害情報を液晶表示パネル３及びＬＥＤ表示器４に表示する表示処理部１０２、ＤＴＭＦ信号が所定の組み合せである場合にスピーカ２から音声出力を行う出力処理部１０３を備えている。【選択図】図２
2012182686.tif 000002
【特許請求の範囲】
【請求項１】
ラジオ放送信号を受信する受信部と、緊急放送に関する災害情報を表示する表示部と、受信したラジオ放送信号及び当該ラジオ放送信号に含まれる緊急放送信号に基づいて音声出力する出力部とを備えた緊急放送用ラジオ受信機であって、前記受信部に受信されたラジオ放送信号に含まれるＤＴＭＦ信号を検出して当該ＤＴＭＦ信号の検出後に次のＤＴＭＦ信号が所定の時間内に検出された場合に検出されたＤＴＭＦ信号を保存する信号処理部と、複数のＤＴＭＦ信号の所定の組み合せに対応して表示する災害情報を記憶する記憶部と、保存された複数のＤＴＭＦ信号が所定の組み合せであるか否か判定する判定部と、ＤＴＭＦ信号が所定の組み合せであると判定された場合に当該組み合せに対応する災害情報を前記表示部に表示する表示処理部と、ＤＴＭＦ信号が所定の組み合せであると判定された場合に前記出力部から音声出力を行う出力処理部とを備えている緊急放送用ラジオ受信機。
【請求項２】
災害情報を表示する際の判定に用いるＤＴＭＦ信号の組み合せは、ラジオ放送信号において発現頻度が低く互いに異なるＤＴＭＦ信号の組み合せである請求項１に記載の緊急放送用ラジオ受信機。
【請求項３】
前記表示処理部は、ＤＴＭＦ信号が特定の組み合せであると前記判定部が判定した場合に前記表示部への表示を停止する請求項１又は２に記載の緊急放送用ラジオ受信機。
【請求項４】
前記信号処理部は、１０秒以内に次のＤＴＭＦ信号が検出された場合に検出されたＤＴＭＦ信号を保存する請求項１から３のいずれかに記載の緊急放送用ラジオ受信機。
【請求項５】
地域情報を設定する設定部を備えており、前記表示処理部は、設定された地域情報に基づいて前記表示部に当該地域情報を表示するとともに当該地域情報に関連するＤＴＭＦ信号の組み合せに対応する情報を表示する請求項１から４のいずれかに記載の緊急放送用ラジオ受信機。
【発明の詳細な説明】
【技術分野】
【０００１】
本発明は、防災又は災害に関する緊急放送を報知することができる緊急放送用ラジオ受信機に関する。
【背景技術】
【０００２】
国内では、地震、津波、台風、集中豪雨といった自然災害が毎年のように発生しているが、こうした災害に備えるために防災又は災害に関する情報を対象地域の住民に正確かつ迅速に提供することが要請されている。
【０００３】
こうした防災又は災害に関する情報の提供は、テレビジョン放送、ラジオ放送、防災行政無線を通して対象地域の住民に伝達されるようになっているが、深夜の時間帯では、受信機の電源が切られていると情報が伝達されずに災害への対応が遅れてしまう、といった課題がある。また、集中豪雨のように局所的に発生する災害の場合には、広域放送で情報提供することは、関係ない地域にも緊急性の高い情報が頻繁に提供されるようになってしまい、災害情報に対する住民の認識が低下していざという時の対応が遅れてしまうデメリットがある。
【０００４】
そのため、近年国内各地で開設されているコミュニティＦＭ放送を利用して災害情報を提供することが提案されている。例えば、特許文献１では、緊急放送を行う際に投入されるスイッチの動作に対応して所定のＤＴＭＦ信号（Ｄｕａｌ−Ｔｏｎｅ  Ｍｕｌｔｉ−Ｆｒｅｑｕｅｎｃｙ）を形成してＦＭ放送信号に含ませて放送し、ＦＭ放送受信機においてＦＭ放送に含まれる所定のＤＴＭＦ信号を検出すると、自動的に電源をオンして大音量で出力するようにした点が記載されている。また、特許文献２では、災害の発生により、緊急放送であることを示すＤＴＭＦ信号及びＥＷＳ信号の少なくとも一方がＦＭ放送の放送信号に含まれていた場合に受信機の電源を自動的にオンして緊急放送メッセージを大音量で出力する点が記載されている。
【先行技術文献】
【特許文献】
【０００５】
【特許文献１】登録実用新案第３１１８１８８号公報
【特許文献２】特開２００９−２３２２４７号公報
【発明の概要】
【発明が解決しようとする課題】
【０００６】
上述した特許文献では、ＦＭ放送を用いて緊急放送を放送する前にＤＴＭＦ信号を流してＦＭ放送受信機を自動的に電源オンして大音量で放送されるように調整するようにしているが、緊急放送の内容は放送を通じて音声で伝達されるのみで、聞き逃すおそれがあり、また聴覚障害のある住民に対して直接伝達することができない、といった課題がある。
【０００７】
また、ＦＭ放送に特定のＤＴＭＦ信号を流して緊急放送を放送する実験をしたところ、ＤＴＭＦ信号を流していないにもかかわらずＦＭ放送受信機で緊急放送を放送する誤作動が発生することがあった。こうした誤作動の原因を分析したところ、ＦＭ放送から受信する信号にＤＴＭＦ信号に類似する信号が存在することが確認された。緊急放送が誤って放送されることは、社会的な混乱を招くとともに緊急放送の信頼性を損なうことになるので、誤作動は必ず回避するようにしなければならない。
【０００８】
そこで、本発明は、ラジオ放送を用いて緊急放送を確実に伝達することができるとともに誤作動のない信頼性の高い緊急放送用ラジオ受信機を提供することを目的とするものである。
【課題を解決するための手段】
【０００９】
本発明に係る緊急放送用ラジオ受信機は、ラジオ放送信号を受信する受信部と、緊急放送に関する災害情報を表示する表示部と、受信したラジオ放送信号及び当該ラジオ放送信号に含まれる緊急放送信号に基づいて音声出力する出力部とを備えた緊急放送用ラジオ受信機であって、前記受信部に受信されたラジオ放送信号に含まれるＤＴＭＦ信号を検出して当該ＤＴＭＦ信号の検出後に次のＤＴＭＦ信号が所定の時間内に検出された場合に検出されたＤＴＭＦ信号を保存する信号処理部と、複数のＤＴＭＦ信号の所定の組み合せに対応して表示する災害情報を記憶する記憶部と、保存された複数のＤＴＭＦ信号が所定の組み合せであるか否か判定する判定部と、ＤＴＭＦ信号が所定の組み合せであると判定された場合に当該組み合せに対応する災害情報を前記表示部に表示する表示処理部と、ＤＴＭＦ信号が所定の組み合せであると判定された場合に前記出力部から音声出力を行う出力処理部とを備えている。さらに、災害情報を表示する際の判定に用いるＤＴＭＦ信号の組み合せは、ラジオ放送信号において発現頻度が低く互いに異なるＤＴＭＦ信号の組み合せである。さらに、前記表示処理部は、ＤＴＭＦ信号が特定の組み合せであると前記判定部が判定した場合に前記表示部への表示を停止する。さらに、前記信号処理部は、１０秒以内に次のＤＴＭＦ信号が検出された場合に検出されたＤＴＭＦ信号を保存する。さらに、地域情報を設定する設定部を備えており、前記表示処理部は、設定された地域情報に基づいて前記表示部に当該地域情報を表示するとともに当該地域情報に関連するＤＴＭＦ信号の組み合せに対応する情報を表示する。
【発明の効果】
【００１０】
本発明は、上記のような構成を備えることで、ラジオ放送信号に含まれるＤＴＭＦ信号を検出した後次のＤＴＭＦ信号を所定の時間内に検出した場合に検出したＤＴＭＦ信号を保存して緊急放送信号の組み合せであるか判定するようにしているので、誤作動を生じることなく緊急放送を確実に伝達することができる。
【００１１】
また、複数のＤＴＭＦ信号の所定の組み合せに対応して緊急放送に関する情報を表示するようにしているので、緊急放送を聞き逃した場合にも表示部に表示された情報により緊急放送の内容を視認することができ、迅速かつ確実に災害情報を伝達することが可能となる。また、聴覚障害のある住民も緊急放送の内容を確認することができるため、避難等が必要な場合でも遅れることなく対応することが可能となる。
【図面の簡単な説明】
【００１２】
【図１】本発明に係る実施形態に関する外観斜視図である。
【図２】緊急放送用ラジオ受信機の制御処理に関するブロック構成図である。
【図３】ＤＴＭＦ信号の組み合せ及び表示文字の対応関係を示す表である。
【図４】ＤＴＭＦ信号に関する周波数の組み合せを示す表である。
【図５】緊急放送の内容を示す表示状態に関する説明図である。
【図６】ＦＭ放送信号及びＡＭ放送信号に含まれるＤＴＭＦ信号の検出結果を示す円グラフである。
【図７】ＤＴＭＦ類似信号の検出間隔を分析した結果を示すリストである。
【図８】ＤＴＭＦ信号の検出処理に関する処理フローである。
【図９】割り込み処理に関する処理フローである。
【図１０】緊急放送処理に関する処理フローである。
【図１１】ＤＴＭＦ信号の組み合せ及びＬＥＤ表示の対応関係を示す表である。
【発明を実施するための形態】
【００１３】
以下、本発明を添付図面に示す実施形態に基づいて詳しく説明する。図１は、本発明に係る実施形態に関する外観斜視図である。携帯型の緊急放送用ラジオ受信機１は、前面に音声を出力するスピーカ２、時刻、周波数等の設定の表示や緊急放送の内容を文字表示する液晶表示パネル３、複数の異なる色を発光するＬＥＤ素子を備え緊急放送の内容を光の色で表示するＬＥＤ表示器４、緊急放送があることを報知するサイレン５が設けられている。また、緊急放送用ラジオ受信機１の上面には、ＡＭ放送又はＦＭ放送のダイヤル選局用ツマミ６及び音量調整用ツマミ７が設けられており、側面には、照明用のＬＥＤライト８及び手回し用ハンドルを備えた手動の発電器９が設けられている。
【００１４】
図示されていないが、緊急放送用ラジオ受信機１の背面には、商用電源に接続するコンセント及び電源コード、携帯電話充電用プラグが収納されている。また、緊急放送用ラジオ受信機１は、蓄電池を内蔵しており、商用電源接続時や発電器９による発電時には、蓄電池が充電されるようになっている。
【００１５】
緊急放送用ラジオ受信機１は、こうした構成を備えているので、住宅内で使用する場合にはダイヤル選局用ツマミ６及び音量調整用ツマミ７を操作して通常のラジオ受信機として使用することができ、災害が発生した場合には緊急放送を受信して確実にその内容を伝達するとともに避難する際には持ち出して避難所で緊急放送を聞くことができる。停電や屋外での使用の場合にも発電器により蓄電池に充電しながら継続使用が可能で、携帯電話への充電にも使用することができる。
【００１６】
図２は、緊急放送用ラジオ受信機１の制御処理に関するブロック構成図である。制御部１０は、緊急放送に関連する制御処理全般を行い、検出されたＤＴＭＦ信号の組み合せを判定する判定部１０１、判定されたＤＴＭＦ信号の組み合せに基づいて液晶表示パネル３及びＬＥＤ表示器４の表示制御を行う表示処理部１０２、ＤＴＭＦ信号の検出に基づいてスピーカ２の音声出力及びサイレン５の出力を制御する出力処理部１０３を備えている。
【００１７】
記憶部１１は、４つのＤＴＭＦ信号の組み合せに対応した文字情報のテーブルを記憶している。この例では、図３に示すように、検出された４つのＤＴＭＦ信号の組み合せに対応して、液晶表示パネル３の１行目に表示する地域名及び２行目に表示する災害情報並びにＬＥＤ表示器４の表示素子Ｌ１〜Ｌ４が記憶されている。表示する地域名については、設定部１５で設定されたデータに対応して決められている。
【００１８】
信号処理部１２は、ラジオ放送信号を受信する受信部１３からの受信信号に含まれるＤＴＭＦ信号を検出し、ＤＴＭＦ信号を検出後に所定時間内に次のＤＴＭＦ信号を検出した場合に検出したＤＴＭＦ信号を保存する。そして、４つのＤＴＭＦ信号が保存された場合にその組み合せのデータを制御部１０に送信する。ＤＴＭＦ信号は、図４に示すように、ＣＣＩＴＴ（国際電信電話諮問委員会）の勧告により２つの組み合せで定められており、電話機のプッシュボタンに対応して音声帯域内の４周波数で構成される高群及び低群からそれぞれ選択された２つの周波数を組み合せて１つのＤＴＭＦ信号とされている。そして、ＤＴＭＦ信号は、高群及び低群のそれぞれ４種類の周波数の組み合せに対応して０〜９までの数字と＊、＃、Ａ〜Ｄまでの記号の計１６種類の符号が付与されている。こうしたＤＴＭＦ信号を複数組み合わせることで、個別に識別可能な多数の信号を作成することができる。信号処理部１２においてＤＴＭＦ信号を保存する場合には、対応する符号に変換して保存するようにすればよい。
【００１９】
受信部１３は、ＡＭ放送を受信するＡＭモード、ＦＭ放送を受信するＦＭモード又は緊急放送を放送する特定周波数にセットするＯＦＦモードのいずれかに設定可能となっている。緊急放送用ラジオ受信機１の電源をオンした状態では、ダイヤル選局用ツマミ６によりＡＭモード又はＦＭモードで選局された通常のラジオ放送信号を受信するが、電源がオフされた状態ではＯＦＦモードで特定周波数のラジオ放送信号を受信するようにセットされる。ここで、特定周波数のラジオ放送信号はＡＭ放送でもＦＭ放送のいずれでもよい。
【００２０】
接続回路１４は、受信部１３とスピーカ２との間に設けられ、出力処理部１０３からの制御信号に基づいて受信部１３で受信したラジオ放送信号をスピーカ２で音声出力又は出力停止する。
【００２１】
設定部１５は、緊急放送用ラジオ受信機１を使用する地域を設定する。例えば、ディップスイッチにように手動で複数の設定データを設定できる素子を用いて設定すればよい。この例では、図３に示すように、地域Ａで使用する場合には設定データＳ１に設定し、地域Ｂで使用する場合には設定データＳ２に設定し、地域Ｃで使用する場合には設定データＳ３に設定する。
【００２２】
判定部１０１では、信号処理部１２から送信された４つのＤＴＭＦ信号の組み合せが設定部１５で設定された設定データに対応するＤＴＭＦ信号の組み合せであるか否か判定し、設定データに対応するＤＴＭＦ信号の所定の組み合せである場合に表示処理部１０２及び出力処理部１０３に組み合せのデータに基づく制御を行わせるようにしている。
【００２３】
例えば、図３に示すように、設定部１５の設定データがＳ１の場合には、信号処理部１２から送信されたＤＴＭＦ信号の組み合せが１０１５、１０１６、１０１７又は１０１８のいずれかに該当すると判定したときに液晶表示パネル３の表示処理を行う。例えば、ＤＴＭＦ信号の組み合せが１０１５の場合には、図５に示すように、液晶表示パネル３に「チイキＡ」及び「オオアメ」を表示し、ＬＥＤ表示器４の表示素子Ｌ１を点灯するように表示制御する。表示素子Ｌ１〜Ｌ４は、それぞれ青、黄、緑、白といった色を発光するＬＥＤを有し、液晶表示パネル３に表示した災害情報に対応して異なる色が点灯するようになっている。
【００２４】
出力処理部１０３は、ＤＴＭＦ信号の組み合せが設定部１５の設定データに該当する組み合せであると判定された場合に、接続回路１４を接続状態とするとともに受信部１３がＡＭモード又はＦＭモードの場合には緊急放送を放送する特定周波数の放送を受信するように切り換えて緊急放送が自動的にスピーカ２から出力されるように制御する。また、サイレン５をオンしてサイレン音を出力するように制御する。
【００２５】
また、図３に示すように、受信したＤＴＭＦ信号の組み合せが００００といった特定の組み合せであると判定された場合には、表示処理部１０２は災害情報の表示を停止するとともに出力処理部１０３はサイレン５の出力を停止し、通常のラジオ放送による音声出力を行うようにする。
【００２６】
上述したＤＴＭＦ信号の４つの組み合せを設定する場合、通常のラジオ放送信号に含まれるＤＴＭＦ信号に類似する信号（以下「ＤＴＭＦ類似信号」という。）による誤動作を避ける必要がある。本発明者らによる調査によれば、ラジオ放送信号に含まれる人間の声に対応する信号にはＤＴＭＦ信号に類似する場合が多く、そのためＤＴＭＦ類似信号が頻繁に検出されることがわかった。図６は、２３日間にわたってＦＭ放送信号及びＡＭ放送信号を受信しながらＤＴＭＦ信号を検出した結果を示す円グラフである。図６（ａ）は、ＦＭ放送信号における検出結果を示し、図６（ｂ）は、ＡＭ放送信号における検出結果を示している。そして、円グラフでは、ＤＴＭＦ類似信号の検出数での各符号毎の割合を表示している。この調査結果をみると、検出されるＤＴＭＦ信号には、符号によりバラツキがあり、発現頻度は高いもので１８．５％あり、低いものは０．３％であった。また、放送の内容や種別による発現頻度にはあまり差は認められず、曜日による差もあまりなかった。
【００２７】
したがって、通常のラジオ放送信号において発現頻度の低いＤＴＭＦ信号を用いて組み合せることで、ＤＴＭＦ類似信号による誤動作を回避することができる。例えば、上述した調査結果によれば、「Ｄ３７０」の組み合せの発現頻度は、１日当りの受信数を考慮して約５１９年に一度の誤動作を起こす可能性があることになり、こうした発現頻度の低い組み合せのＤＴＭＦ信号を緊急放送開始信号に用いることで、ＤＴＭＦ類似信号による誤動作をほぼなくすことが可能となる。
【００２８】
また、上述した調査結果において、ＤＴＭＦ類似信号の検出間隔を分析した結果を図７に示す。図７に示すリストでは、１つのＤＴＭＦ類似信号が検出されてから次のＤＴＭＦ類似信号が検出されるまでの経過時間（秒）を検出信号毎に示している。この分析結果をみると、ＤＴＭＦ類似信号の検出間隔は、平均２分程度であるが、同じ検出信号が連続して検出される場合には検出間隔が短く、検出信号が異なる場合には検出間隔が長くなる傾向が読み取れる。したがって、ＤＴＭＦ信号の組み合せでは、互いに異なるＤＴＭＦ信号を組み合せて設定し、所定時間以内（例えば１０秒以内）に次のＤＴＭＦ信号が検出される間隔で緊急放送開始信号を作成してラジオ放送信号とともに放送すれば、ＤＴＭＦ類似信号による誤動作を確実に回避することができる。
【００２９】
以上説明した緊急放送用ラジオ受信機を使用する場合、まず、行政機関において防災行政無線により緊急放送が報知されると、その緊急放送に関する音声情報、地域情報及び災害情報が専用回線を介してラジオ放送局に送信される。ラジオ放送局では、緊急放送に関する情報を受信すると、緊急放送に関する地域情報及び災害情報に基づいて上述した複数のＤＴＭＦ信号の組み合せを作成する。そして、作成したＤＴＭＦ信号を緊急放送開始信号として用い、特定の組み合せ（例えば００００）からなるＤＴＭＦ信号を緊急放送停止信号として用いて、緊急放送開始信号と緊急放送停止信号の間に緊急放送の音声情報を挿入した一連の緊急放送信号を作成し、割り込み処理により通常のＡＭ放送又はＦＭ放送のいずれかのラジオ放送信号に組み込んで放送する。
【００３０】
図８は、緊急放送信号として放送されるＤＴＭＦ信号の検出処理に関する処理フローである。まず、緊急放送信号を受信するために、使用地域の設定データ等を入力する初期設定を行い（Ｓ１００）、検出のための割り込み処理のタイミングを設定する（Ｓ１０１）。割り込み処理のタイミングは、例えば、０．１２５秒、０．２５秒、０．５秒、１秒といった検出間隔で割り込み処理を行うように設定すればよい。そして、割り込み処理の回数をカウントすることで、検出間隔を所定時間に設定することができ、所定時間内にＤＴＭＦ信号の検出の有無を判定することが可能となる。
【００３１】
割り込み処理の設定後、緊急放送開始信号となるＤＴＭＦ信号が送信されたかチェックし（Ｓ１０２）、ＤＴＭＦ信号の送信が検出された場合（Ｓ１０２−ＹＥＳ）にＤＴＭＦ信号の入力回数Ｎが４未満であるかチェックする（Ｓ１０３）。ＤＴＭＦ信号の送信が検出されない場合（Ｓ１０２−ＮＯ）には、繰り返し送信の有無について検出を行う。入力回数Ｎが４未満の場合（Ｓ１０３−ＹＥＳ）には、検出されたＤＴＭＦ信号を保存し（Ｓ１０４）、入力回数Ｎに１を加算するカウントアップを行う（Ｓ１０５）。そして、割り込み回数Ｗをリセットし（Ｓ１０６）、タイムアウトが許可されているかチェックする（Ｓ１０７）。タイムアウトが許可されていない場合（Ｓ１０７−ＮＯ）には、ステップＳ１０２に戻り、ＤＴＭＦ信号の送信があるかチェックする。
【００３２】
ステップＳ１０７でタイムアウトが許可されている場合（Ｓ１０７−ＹＥＳ）には、後述する緊急放送処理に進む。また、ステップＳ１０３で入力回数Ｎが４以上である場合（Ｓ１０３−ＮＯ）にも緊急放送処理に進む。後述する緊急放送処理が終了すると、入力回数Ｎをリセットして（Ｓ１０８）ステップＳ１０２に戻り、ＤＴＭＦ信号の送信があるかチェックする。
【００３３】
図９は、割り込み処理に関する処理フローである。まず、設定されたタイミングで割り込み処理が行われて（Ｓ２００）、図８に示す検出処理が行われるようになるが、割り込み処理が行われると割り込み回数Ｗに１を加算するカウントアップが行われる（Ｓ２０１）。そして、割り込み回数Ｗが所定の回数Ｔ以上であるかチェックし（Ｓ２０２）、所定の回数以上である場合（Ｓ２０２−ＹＥＳ）にタイムアウトを許可する設定を行い（Ｓ２０３）、終了する。ステップＳ２０２において割り込み回数Ｗが所定の回数Ｔより小さい場合には、タイムアウトを許可する設定を行うことなく終了する。
【００３４】
以上の処理を行うことで、割り込み処理を行う毎にＤＴＭＦ信号の検出が行われ、ＤＴＭＦ信号が検出された場合には、ＤＴＭＦ信号を保存していき、入力回数Ｎが４以上−すなわち４つのＤＴＭＦ信号が保存された場合に緊急放送処理に進むようになる。そして、ＤＴＭＦ信号を検出してから次のＤＴＭＦ信号を検出するまでの間に割り込み回数Ｗが所定の回数Ｔ以上となる場合には、割り込み処理の設定タイミングと所定の回数Ｔで設定された時間内にＤＴＭＦ信号が検出されなかったものとしてタイムアウトを許可するように設定する。タイムアウトの許可が設定されると、不完全な組み合せのＤＴＭＦ信号で緊急放送処理に進むことになり、設定データとは一致しないから緊急放送処理を行うことなく終了する。こうして、緊急放送信号として放送されたＤＴＭＦ信号の組み合せのみが確実に検出されるようになる。
【００３５】
図１０は、緊急放送処理に関する処理フローである。まず、上述した検出処理において保存されたＤＴＭＦ信号があるかチェックし（Ｓ３００）、保存されたＤＴＭＦ信号がない場合（Ｓ３００−ＮＯ）にはそのまま終了する。保存されたＤＴＭＦ信号がある場合（Ｓ３００−ＹＥＳ）には、初期設定された使用地域に関する設定データを読み出して（Ｓ３０１）、保存されたＤＴＭＦ信号の組み合せが設定データに対応するＤＴＭＦ信号の組み合せであるか否かチェックする（Ｓ３０２）。設定データに対応しない組み合せである場合（Ｓ３０２−ＮＯ）には、その使用地域とは異なる地域に関する緊急放送であるので、以後の緊急放送処理を行うことなく終了する。
【００３６】
設定データに対応する組み合せである場合（Ｓ３０２−ＹＥＳ）には、組み合せに対応する文字表示処理及びＬＥＤ表示処理を行う（Ｓ３０３）。文字表示処理では、設定データに対応する地域名及び緊急放送に対応する災害情報を読み出して液晶表示パネル３に表示する。ＬＥＤ表示処理では、検出された組み合せに対応するＬＥＤ表示器４の表示素子を点灯処理する。
【００３７】
同時に、サイレン５の出力処理を行ってサイレン音を鳴らす（Ｓ３０４）。そして、ラジオ受信機の電源がオンしているか否かチェックして（Ｓ３０５）、電源がオンの場合には、緊急放送が流れる特定周波数の放送に自動的に切り換えるように選局処理を行う（Ｓ３０６）。電源がオフの場合には、ＯＦＦモードで緊急放送が流れる特定周波数の放送に予め選局されているので、スピーカの音声出力処理を行うことで（Ｓ３０７）、確実に緊急放送を音声出力することができる。その際に、液晶表示パネル３への文字表示及びＬＥＤ表示器４の点灯処理が行われるので、視覚及び聴覚により緊急放送の内容を伝達することができる。また、サイレン音を鳴らすことにより離れた場所に居る住民に対しても緊急放送があることを報知して、その内容を確実に伝達することが可能となる。
【００３８】
次に、緊急放送停止信号となるＤＴＭＦ信号が送信されたかチェックし（Ｓ３０８）、複数のＤＴＭＦ信号の送信が検出された場合に検出された複数のＤＴＭＦ信号が記憶部１１に登録された停止信号を示す特定の組み合せと一致するか否かチェックする（Ｓ３０９）。この例では００００の組み合せのＤＴＭＦ信号が検出された場合に、液晶表示パネル３の文字表示を非表示処理し、ＬＥＤ表示器４の点灯した表示素子を消灯処理する（Ｓ３１０）。また、サイレン５の出力処理を停止し、サイレン音を止めて（Ｓ３１１）緊急放送処理を終了する。
【００３９】
この場合、文字表示処理及びＬＥＤ表示処理は表示したままにしてもよい。また、サイレン音は手動で停止する停止ボタンを設けるようにしてもよい。なお、スピーカの音声出力処理はそのまま続行して、使用者に対して次の緊急放送に備えるよう注意喚起するようにする。
【００４０】
以上説明した例では、液晶表示パネル３及び複数の表示素子を用いたＬＥＤ表示器４を用いているが、複数の色を発光することのできるＬＥＤ表示器を２つ用いて表示処理を行うようにしてもよい。例えば、図１１に示すように、２つのＬＥＤ表示器のうち１つを地域情報の識別用に用い、もう１つを災害情報の識別用に用いることで、視覚的に緊急放送の内容を正確に伝達することができる。この例では、地域Ａの場合赤色、地域Ｂの場合緑色、地域Ｃの場合青色に発光するように１つのＬＥＤ表示器を表示制御する。もう１つのＬＥＤ表示器については、大雨の場合青色、強風の場合黄色、地震の場合緑色、その他の災害の場合白色に発光するように表示制御する。
【００４１】
こうした災害情報及び地域情報については、ＤＴＭＦ信号の組み合せによりきめ細かく設定することが可能で、地域毎の防災対策に合わせて必要に応じて設定すればよい。
【符号の説明】
【００４２】
１    緊急放送用ラジオ受信機
２    スピーカ
３    液晶表示パネル
４    ＬＥＤ表示器
５    サイレン
10    制御部
【図１】
2012182686.tif 000003
【図２】
2012182686.tif 000004
【図３】
2012182686.tif 000005
【図４】
2012182686.tif 000006
【図５】
2012182686.tif 000007
【図６】
2012182686.tif 000008
【図７】
2012182686.tif 000009
【図８】
2012182686.tif 000010
【図９】
2012182686.tif 000011
【図１０】
2012182686.tif 000012
【図１１】
2012182686.tif 000013